(57)【要約】      （修正有）【課題】第一電熱線と第二電熱線とが可能な限り互いに接近する技術方案において、電気火花及び燃焼現象を引き起こすことを防止できる温風加熱器を提供する。【解決手段】本発明は熱風加熱器及びそれを有するヘアドライヤーに関し、前記熱風加熱器は第一電熱線３ａ及び第二電熱線３ｂを含み、前記第一電熱線及び前記第二電熱線は、電力線の正極端子１と負極端子２との間に並列接続され、前記第一電熱線と前記第二電熱線は同方向で卷回され、それぞれ複数のコイルを形成し、前記第一電熱線及び前記第二電熱線とを流れる電流が逆向きとなって、前記第一電熱線及び前記第二電熱線との隣接するコイルの間に最小距離Ｘが設けられ、前記最小距離Ｘは２〜１２ｍｍである。【選択図】図１
2020099660.tif 000002
【特許請求の範囲】
【請求項１】
第一電熱線及び第二電熱線を含み、前記第一電熱線及び前記第二電熱線は、電力線の正極端子と負極端子との間に並列接続され、前記第一電熱線と前記第二電熱線は同方向で卷回され、それぞれ複数のコイルを形成し、前記第一電熱線及び前記第二電熱線とを流れる電流が逆向きとなって、前記第一電熱線及び前記第二電熱線との隣接するコイルの間に最小距離Ｘが設けられ、前記最小距離Ｘは２〜１２ｍｍであることを特徴とする熱風加熱器。
【請求項２】
前記最小距離Ｘは３〜８ｍｍであることを特徴とする請求項１に記載の熱風加熱器。
【請求項３】
前記第一電熱線及び前記第二電熱線の巻線コイルは両方とも平延線型であり、両者の線径は同じであり、両方ともＲ線径であり、前記Ｒ線径は５ｍｍ以下である、又は、
前記第一電熱線及び前記第二電熱線の巻線コイルは両方とも自己螺旋柱型であり、両者の柱径は同じであり、両方ともＲ柱径であり、前記Ｒ柱径は５ｍｍ以下であることを特徴とする請求項１又は請求項２に記載の熱風加熱器。
【請求項４】
Ｘが３ｍｍの場合、前記Ｒ線径又はＲ柱径は１〜３ｍｍであり、
Ｘが４ｍｍの場合、前記Ｒ線径又はＲ柱径は１〜４ｍｍであり、
Ｘが５ｍｍの場合、前記Ｒ線径又はＲ柱径は１〜５ｍｍであり、
Ｘが６ｍｍの場合、前記Ｒ線径又はＲ柱径は１〜５ｍｍであることを特徴とする請求項３に記載の熱風加熱器。
【請求項５】
前記第一電熱線及び前記第二電熱線の隣接するコイルは、巻回方向に沿って交替し、略並列に設置される、又は、
前記第一電熱線及び前記第二電熱線の隣接するコイルは、巻回方向の垂直方向に沿って略同心状に設置され、第一電熱線は内側に位置され、第二電熱線は外側に位置されることを特徴とする請求項１〜４のいずれかに記載の熱風加熱器。
【請求項６】
第一電熱線及び第二電熱線を含み、前記第一電熱線及び前記第二電熱線は、電力線の正極端子と負極端子との間に並列接続され、前記第一電熱線と前記第二電熱線は同方向で卷回され、それぞれ複数のコイルを形成し、前記第一電熱線及び前記第二電熱線とを流れる電流が逆向きとなって、前記第一電熱線及び前記第二電熱線との隣接するコイルの間に最小距離Ｘが設けられ、
前記第一電熱線及び前記第二電熱線の巻線コイルは両方とも自己螺旋柱型であり、両者の柱径は同じであり、両方ともＲ柱径であり、前記Ｘと前記Ｒ柱径は比例関係Ｔ：Ｔ=Ｘ/（２Ｒ柱径+Ｘ）を満たし、前記比例Ｔの範囲は、０．３〜０．８であることを特徴とする熱風加熱器。
【請求項７】
前記比例Ｔは０．３〜０．５であることを特徴とする請求項６に記載の熱風加熱器。
【請求項８】
前記Ｘは２〜１２ｍｍであり、
前記Ｒ柱径は５ｍｍ以下であることを特徴とする請求項６又は請求項７に記載の熱風加熱器。
【請求項９】
ケーシングの内側に設置された熱風加熱器を有し、前記熱風加熱器は請求項１〜８のいずれかの一項に記載の熱風加熱器であることを特徴とするヘアドライヤー。
【請求項１０】
前記ヘアドライヤーのパワーは４８０〜２０００Ｗであることを特徴とする請求項９に記載のヘアドライヤー。
【発明の詳細な説明】
【技術分野】
【０００１】
本発明は、熱風加熱器に関する。特に、無放射の電熱線を有する熱風加熱器及びそれを有するヘアドライヤーに関する。
【背景技術】
【０００２】
ヘアドライヤー、特に熱風ヘアドライヤーは広く使用されている。よく見かけるのは毛髪を乾かしたり、毛髪の手入れなどがある（遠赤外線、マイナスイオンなど）。
【０００３】
ヘアドライヤーは、人々の生活の中でよく使用されている電気製品であり、主に毛髪の乾燥や整形に使用でき、実験室、理学療法室及び工業生産、美工などでの局所乾燥と加熱療法としても使用できる。現在市販されている家庭用ヘアドライヤーは、主にシリンダー本体、発熱部品、モーター及びファンなどで構成されている。発熱部品、モーター及びファンはシリンダー本体の内側に配置されており、発熱部品の多くは電熱線で構成され、電熱線はシリンダー本体の内側の貫通孔内に直接に設置されているか、又は螺旋巻き方式でシリンダー本体の内側に取り付けられており、ファンは電熱線の後部に配置され、通電後、電熱線は加熱され、高温状態を維持し、ヘアドライヤーの後部にある空気をシリンダー本体の内側に吸い込み、電熱線を通した後、シリンダー本体から吹き出し、使用者の頭に向かう。この方法では、電熱線が高温で加熱されると大量の電磁波が発生され、その電磁波が直線に沿ってヘアドライヤーのケーシングの貫通孔を通過して人体の頭部に照射され、長期的には人体に害を及ぼすことになる。
【０００４】
上記の問題を解決するために、中国特許公開号ＣＮ１００５５３３８３Ｃ（以下、特許文献１という）の特許には熱風加熱器が開示されている。前記熱風加熱器は、絶縁耐火性支持体に電熱線が卷回された熱風加熱器であって、第一電熱線及び第二電熱線は該当電力供給線の入力ラインと出力ラインとの間に並列接続され、同方向に沿って絶縁耐火性支持体の周囲を卷回されることにより、前記第一電熱線と前記第二電熱線とを流れる電流が逆向きとなって、前記第一電熱線３ａ’と前記第二電熱線から生じる電磁波を相殺する。また、前記第一電熱線と前記第二電熱線の隣接するコイルは、同等又は略同等のコイル直径を有する。また、前記第一電熱線及び前記第二電熱線（即ち、ツイストペア）は、それぞれ指定された間隔で絶縁耐火性支持体を卷回し、可能な限りお互いに接近する。
【発明の概要】
【発明が解決しようとする課題】
【０００５】
特許文献１によれば、本発明者らは実践の中で以下のことを発見した。第一電熱線と第二電熱線とが可能な限り互いに接近する技術方案において、第一電熱線と第二電熱線とが可能な限り互いに接近されると、コイル間の接触衝突の可能性が高くなり、第一電熱線又は第二電熱線を短絡させるか、又は第一電熱線及び第二電熱線の電流が接点で衝撃を生じ、電気火花及び燃焼現象を引き起こす。
【課題を解決するための手段】
【０００６】
上記の問題に鑑み、本発明に係る熱風加熱器は、第一電熱線及び第二電熱線を含み、前記第一電熱線及び前記第二電熱線は、電力線の正極端子と負極端子との間に並列接続され、前記第一電熱線と前記第二電熱線は同方向で卷回され、それぞれ複数のコイルを形成し、前記第一電熱線及び前記第二電熱線とを流れる電流が逆向きとなって、前記第一電熱線及び前記第二電熱線との隣接するコイルの間に最小距離Ｘが設けられ、前記最小距離Ｘは２〜１２ｍｍであることを特徴とする。
【０００７】
さらに、前記最小距離Ｘは３〜８ｍｍである。
さらに、前記第一電熱線及び前記第二電熱線の巻線コイルは両方とも平延線型であり、両者の線径は同じであり、両方ともＲ線径であり、前記Ｒ線径は５ｍｍ以下である、又は、
前記第一電熱線及び前記第二電熱線の巻線コイルは両方とも自己螺旋柱型であり、両者の柱径は同じであり、両方ともＲ柱径であり、前記Ｒ柱径は５ｍｍ以下である。
【０００８】
さらに、Ｘが３ｍｍの場合、前記Ｒ線径又はＲ柱径は１〜３ｍｍであり、
Ｘが４ｍｍの場合、前記Ｒ線径又はＲ柱径は１〜４ｍｍであり、
Ｘが５ｍｍの場合、前記Ｒ線径又はＲ柱径は１〜５ｍｍであり、
Ｘが６ｍｍの場合、前記Ｒ線径又はＲ柱径は１〜５ｍｍである。
【０００９】
さらに、前記第一電熱線及び前記第二電熱線の隣接するコイルは、巻回方向に沿って交替し、略並列に設置される、又は、
前記第一電熱線及び前記第二電熱線の隣接するコイルは、巻回方向の垂直方向に沿って略同心状に設置され、第一電熱線は内側に位置され、第二電熱線は外側に位置される。
【００１０】
また、本発明に係る熱風加熱器は、第一電熱線及び第二電熱線を含み、前記第一電熱線及び前記第二電熱線は、電力線の正極端子と負極端子との間に並列接続され、前記第一電熱線と前記第二電熱線は同方向で卷回され、それぞれ複数のコイルを形成し、前記第一電熱線及び前記第二電熱線とを流れる電流が逆向きとなって、前記第一電熱線及び前記第二電熱線との隣接するコイルの間に最小距離Ｘが設けられ、
【００１１】
前記第一電熱線及び前記第二電熱線の巻線コイルは両方とも自己螺旋柱型であり、両者の柱径は同じであり、両方ともＲ柱径であり、前記Ｘと前記Ｒ柱径は比例関係Ｔ：Ｔ=Ｘ/（２Ｒ柱径+Ｘ）を満たし、前記比例Ｔの範囲は、０．３〜０．８であることを特徴とする。
さらに、前記比例Ｔは０．３〜０．５である。
さらに、前記Ｘは２〜１２ｍｍであり、前記Ｒ柱径は５ｍｍ以下である。
本発明に係るヘアドライヤーは、ケーシングの内側に設置された熱風加熱器を有し、前記熱風加熱器は請求項１〜８のいずれかの一項に記載の熱風加熱器であることを特徴とする。
さらに、前記ヘアドライヤーのパワーは４８０〜２０００Ｗである。
【発明の効果】
【００１２】
本発明は下記の有益な効果がある。
（１）本発明に係る熱風加熱器は、前記第一電熱線及び前記第二電熱線との隣接するコイルの間設けられる最小距離Ｘを限定することにより、コイル間の接触衝突の可能性を回避することができ、第一電熱線又は第二電熱線が短絡するか、又は、前記第一電熱線と前記第二電熱線との電流が接点で衝撃を生じ、電気火花及び燃焼現象を引き起こすことを避けることができる。
（２）本発明に係るヘアドライヤーは、ＸとＲ柱径の対応関係及びその比例関係Ｔを調整することにより、安全性を確保しつつヘアドライヤーの規定の作業電力を満たしながら、同時に電熱線の電磁波をお互いに相殺させ、全体的に０ｍＧ近くまでに達し、無放射の効果を生み出すことができる。
【図面の簡単な説明】
【００１３】
【図１】図１は、本発明に係る第一電熱線と第二電熱線とが巻回方向に沿って交替し、略並列に設置された時の概略図、及び前記第一電熱線及び前記第二電熱線の巻線コイルが両方とも自己螺旋柱型である概略図である。
【図２】図２は、本発明に係る第一電熱線と第二電熱線とが巻回方向の垂直方向に沿って略同心状に設置された時の概略図である。
【発明を実施するための形態】
【００１４】
以下において、図面を参照しながら、本発明の技術方案を明確かつ完全に説明する。記載された実施形態は本発明の実施形態の一部であり、実施形態の全部ではないことは明らかである。本発明の実施形態に基づいて、当業者が創造的な努力なしに得られる他のすべての実施形態は本発明の保護範囲に属する。
【００１５】
説明する必要があるのは、本発明の説明において、「中央」、「上方」、「下方」、「左」、「右」、「垂直」、「水平」、「内側」、「外側」などの用語が表示する方向又は位置関係は、図面に示される方向又は位置関係に基づいており、それらは単に本発明の説明及び簡単な説明の便宜のためであり、言及される装置又は構成要素が特定の方向を有する、特定の方向に従って構成及び動作することを示す又は暗示することではない。したがって、本発明を限定するものと解釈することはできない。さらに、「第一」、「第二」及び「第三」という用語は、説明の目的のためだけに使用されており、相対的な重要性を示す又は暗示するものとして解釈されるべきではない。
【００１６】
説明する必要があるのは、本発明の説明において、「設置」、「接続」、及び「連結」という用語は、特に明記及び限定されていない限り、広く理解すべきである。例えば、固定接続も可能であり、取り外し可能な接続も可能であり、又は一体的に接続も可能であり、機械的な接続も可能であり、電気的接続も可能であり、直接的な接続も可能であり、中間媒体を介して間接的に接続も可能であり、二つのコンポーネント間の内部接続も可能である。本発明における上記用語の具体的な意味は、特定の場合で当業者によって理解され得る。
【００１７】
図１は、本発明に係る第一電熱線と第二電熱線とが巻回方向に沿って交替し、略並列に設置された時の概略図、及び前記第一電熱線及び前記第二電熱線の巻線コイルが両方とも自己螺旋柱型である概略図である。本発明に係る熱風加熱器は、第一電熱線３ａ及び第二電熱線３ｂを含み、前記第一電熱線３ａ及び前記第二電熱線３ｂは、電力線の正極端子１と負極端子２との間に並列接続され、前記第一電熱線３ａと前記第二電熱線３ｂは同方向で卷回され、それぞれ複数のコイルを形成し、前記第一電熱線３ａ及び前記第二電熱線３ｂとを流れる電流が逆向きとなって、前記第一電熱線３ａ及び前記第二電熱線３ｂとの隣接するコイルとの間に最小距離Ｘが設けられ、前記第一電熱線及び前記第二電熱線の隣接するコイルは、巻回方向に沿って交替し、略並列に設置され、２本の電熱線によって生じる電磁界の方向も逆向きとなり、相殺効果が達成され、その結果、電熱線の電磁波は互いに相殺され、０ｍＧ近くまでに達する。
【００１８】
図１に示すように、前記第一電熱線及び前記第二電熱線の巻線コイルは両方とも自己螺旋柱型である。ここでいう「柱型」とは、「ほぼ同じ半径に従って自己螺旋する」との意味である。好ましくは、両者とも同じ柱径（半径）を有し、両方ともＲ柱径である。しかしながら、前記第一電熱線及び前記第二電熱線の巻線コイルは平延線型であってもよい。ここでいう「平延」とは、「水平方向の広がり」との意味ではなく、「スムーズな広がり」、「滑らかな広がり」又は非自己螺旋の広がりの意味である。好ましくは、両者とも同じ線径（半径）を有し、両方ともＲ線径である。
【００１９】
図２は、本発明に係る第一、第二電熱線とが巻回方向の垂直方向に沿って略同心状に設置された時の概略図である。２本の電熱線によって生成される電磁界の方向も逆向きとなり、相殺効果が達成され、その結果、電熱線の電磁波は互いに相殺され、０ｍＧ近くまでに達する。前記第一電熱線及び前記第二電熱線の巻線コイルは両方とも自己螺旋柱型であり、好ましくは、両者とも同じ柱径（半径）を有し、両方ともＲ柱径であるか、又は、両方とも平延線型であり、好ましくは、両者とも同じ線径（半径）を有し、両方ともＲ線径である。
【００２０】
上記図１及び図２の二つの場合において、コイル間が接触衝突する可能性を避けることで、前記第一電熱線３ａ又は前記第二電熱線３ｂが短絡されるか、又は、前記第一電熱線３ａと前記第二電熱線３ｂとの電流が接点に衝撃を発生させ、電気火花及び燃焼現象を引き起こすことを避けることができる。本発明は、前記第一電熱線３ａと前記第二電熱線３ｂの隣接するコイルとの間の最小距離Ｘを制限する。即ち、前記第一電熱線３ａと前記第二電熱線３ｂの隣接するコイルの間には、可能な限りまで近接できることではなく、最小距離Ｘが設けられている。さらに、前記最小距離Ｘは２〜１２ｍｍであり、さらに、好ましくは３〜８ｍｍであり、前記線径Ｒ線径は５ｍｍ以下であるか、又は、前記柱径Ｒ柱径は５ｍｍ以下である。
【００２１】
前記第一電熱線３ａと前記第二電熱線３ｂの隣接するコイルの間の安全性を確保するために、１．５メートルでの落下試験及びタッピング試験を何度も行われた後、コイルの間に明らかな接触衝突がなく、安全上の問題がないことを確保する必要がある。以下は、自己螺旋柱型を例として、最小距離Ｘと柱径Ｒ柱径を試験し、試験結果を表１に示す。
【表１】
2020099660.tif 000003
【００２２】
落下する時、衝撃を生じ、慣性の作用の下でばねワイヤに運動を生じ、この運動は単純調和運動の法則を満たし、力と同じ方向に沿って一定の変位を生じる。表１の試験データは以下を示す：最小距離Ｘが２ｍｍで、Ｒ柱径がそれぞれ３ｍｍ、４ｍｍ、５ｍｍの場合、壊れが発生され、最小距離Ｘが３ｍｍで、Ｒ柱径がそれぞれ４ｍｍと５ｍｍの場合、壊れが発生され、最小距離Ｘが４ｍｍでＲ柱径が５ｍｍの場合、壊れが発生される。したがって、前記第一電熱線３ａと前記第二電熱線３ｂのコイルの間に最小距離Ｘを設ける必要があり、可能な限り近くにすることではない。
【００２３】
平延線型のコイルについても、試験結果は上記と同様である。
上記の自己螺旋柱型のコイルについて、本発明者らはさらに、実践の中で前記柱径Ｒ柱径と最小距離Ｘとの両者の間に特定の比例関係Ｔ、具体的には：Ｔ=Ｘ/（２Ｒ柱径+Ｘ）が存在することを見出した。上記比例関係を確認するために、比例Ｔを加え試験を行い、試験手順は表１と同じである。
前記第一電熱線３ａと前記第二電熱線３ｂの隣接するコイルとの間の安全性を確保するために、１．５メートルでの落下試験及びタッピング試験を何度も行われた後、コイル間に明らかな接触衝突がなく、安全上の問題がないことを確保する必要がある。最小距離Ｘと柱径Ｒ柱径を試験し、比例値Ｔを計算した。試験結果を表２に示す。
【表２】
2020099660.tif 000004
【００２４】
表２の試験データは以下を示す。最小距離Ｘが２ｍｍで、Ｒ柱径がそれぞれ３ｍｍ、４ｍｍ、５ｍｍの場合、壊れが発生され、最小距離Ｘが３ｍｍで、Ｒ柱径がそれぞれ４ｍｍと５ｍｍの場合、壊れが発生され、最小距離Ｘが４ｍｍでＲ柱径が５ｍｍの場合、壊れが発生される。したがって、前記第一電熱線３ａと前記第二電熱線３ｂのコイルとの間に最小距離Ｘを設ける必要があり、可能な限り近くにすることではない。本発明は製品の実際的用途を考慮し、最小間隔Ｘは２〜１２ｍｍ、好ましくは３〜８ｍｍから選択され、柱径は５ｍｍ以下を選択される。壊れが発生しないことを確保にするために、比例Ｔの値は０．３以上である必要がある。
【００２５】
さらに、最小距離Ｘは電熱線の巻線密度に関係し、さらにＲ柱径の選択を組み合わせ、電熱線の長さと関連させる。上記の比例関係Ｔ=Ｘ/（２Ｒ柱径+Ｘ）から下記のことを知ることができる：Ｔ値が大きいほど、Ｘ値が小さくなり、Ｒ柱径の値が大きくなり、電熱線の全長が長くなる。電熱線が細くて長ければ長いほど、抵抗は大きくなり、電圧が等しい場合、電力が小さくなる。したがって、ヘアドライヤーが作業電力（例えば、４８０〜２０００Ｗ）を効果的に維持することを確実にとともに、電熱線の電磁波が互いに相殺され安全で、壊れない効果を得るために、Ｔの設定値は０．３〜０．８である。好ましくは、０．３〜０．５である。
【００２６】
以上、本発明の好適な実施形態について説明したが、本発明は上記実施形態に限定されるものではなく、本発明の趣旨を逸脱しない範囲で行われた変更、修正、置換、組み合わせ、簡素化はすべて同等の代替物であるべきであり、いずれも本発明の範囲内に含まれる。 
【図１】
2020099660.tif 000005
【図２】
2020099660.tif 000006